(57)【要約】【課題】ユーザーが複数の差し込み領域を容易に設定できる技術を提供する。【解決手段】レイアウト装置は、タッチパネルディスプレイに差し込み領域を表示させる表示部と、前記差し込み領域の表示領域を移動する操作を検出する検出部と、前記操作が検出されると、前記操作の軌跡に基づいて前記差し込み領域を分割する分割部と、前記差し込み領域又は分割された前記差し込み領域にオブジェクトをレイアウトして出力する出力部と、を備える。【選択図】図３Ｂ
2017187834.tif 000002
【特許請求の範囲】
【請求項１】
タッチパネルディスプレイに差し込み領域を表示させる表示部と、
前記差し込み領域の表示領域を移動する操作を検出する検出部と、
前記操作が検出されると、前記操作の軌跡に基づいて前記差し込み領域を分割する分割
部と、
前記差し込み領域又は分割された前記差し込み領域にオブジェクトをレイアウトして出
力する出力部と、
を備えるレイアウト装置。
【請求項２】
前記出力部は、前記軌跡の中央を含む一部にならう方向の直線で前記差し込み領域を分
割する、
請求項１に記載のレイアウト装置。
【請求項３】
前記分割部は、前記差し込み領域を横断する直線の長さに対する前記軌跡の長さの割合
が閾値以上であるか否かを判定し、前記割合が前記閾値以上であれば前記差し込み領域を
分割し、前記割合が前記閾値以上でなければ前記差し込み領域を分割しない、
請求項１又は２に記載のレイアウト装置。
【請求項４】
前記差し込み領域は多角形であって、
前記分割部は、前記軌跡に対応する前記差し込み領域の辺と平行な直線で前記差し込み
領域を分割する、
請求項１から３のいずれか一項に記載のレイアウト装置。
【請求項５】
前記分割部は、前記軌跡に基づいて前記差し込み領域を等分割する、
請求項１から４のいずれか一項に記載のレイアウト装置。
【請求項６】
タッチパネルディスプレイに差し込み領域を表示させる表示部と、
前記差し込み領域の表示領域を移動する操作を検出する検出部と、
前記操作が検出されると、前記操作の軌跡に基づいて前記差し込み領域を分割する分割
部と、
前記差し込み領域又は分割された前記差し込み領域にオブジェクトをレイアウトして出
力する出力部と、
してコンピューターを機能させるレイアウトプログラム。
【発明の詳細な説明】
【技術分野】
【０００１】
本発明はレイアウト装置及びレイアウトプログラムに関する。
【背景技術】
【０００２】
従来、特許文献１に記載されているグリーティングカードなどを印刷するためのテンプ
レートが知られている。テンプレートには１つ以上の差し込み領域（差し込み領域はレイ
アウト枠ともいわれる。）が予め設けられている。ユーザーは、テンプレートと写真画像
データなどのオブジェクトを選択するだけで様々なレイアウトでオブジェクトを印刷する
ことが可能である。
【先行技術文献】
【特許文献】
【０００３】
【特許文献１】特開2002-297571号公報
【発明の概要】
【発明が解決しようとする課題】
【０００４】
ところで従来のテンプレートでは、差し込み領域が予め決められており、変更できない
。一方、テンプレートを用いないレイアウト作業では、位置、形状及び大きさを差し込み
領域毎にユーザーが設定しなければならず、煩雑である。
【０００５】
本発明は、ユーザーが複数の差し込み領域を容易に設定できる技術の提供を目的の一つ
とする。
【課題を解決するための手段】
【０００６】
（１）上記目的を達成するためのレイアウト装置は、タッチパネルディスプレイに差し
込み領域を表示させる表示部と、前記差し込み領域の表示領域を移動する操作を検出する
検出部と、前記操作が検出されると、前記操作の軌跡に基づいて前記差し込み領域を分割
する分割部と、前記差し込み領域又は分割された前記差し込み領域にオブジェクトをレイ
アウトして出力する出力部と、を備える。本発明によると、指などで差し込み領域を示す
表示領域を滑りながら移動する操作によって差し込み領域を分割できるため、ユーザーが
複数の差し込み領域を容易に設定できる。
【０００７】
（２）上記目的を達成するためのレイアウト装置において、前記出力部は、前記軌跡の
中央を含む一部にならう方向の直線で前記差し込み領域を分割してもよい。移動する操作
の際には、操作軌跡の最初と最後が意図せずに曲がりやすくなるが、この構成を採用する
ことにより、ユーザーは意図通りに差し込み領域を分割することができる。
【０００８】
（３）上記目的を達成するためのレイアウト装置において、前記分割部は、前記差し込
み領域を横断する直線の長さに対する前記軌跡の長さの割合が閾値以上であるか否かを判
定し、前記割合が前記閾値以上であれば前記差し込み領域を分割し、前記割合が前記閾値
以上でなければ前記差し込み領域を分割しなくともよい。この構成を採用することにより
、指などで意図通りの操作軌跡を描くことができないと判断した場合には、ユーザーがレ
イアウト領域の分割を途中で中止できる。尚、「軌跡の長さ」は、実際に操作軌跡が延び
ている長さでも良いし、操作軌跡の両端間の距離でもよい。
【０００９】
（４）上記目的を達成するためのレイアウト装置において、前記差し込み領域は多角形
であってもよく、前記分割部は、前記軌跡に対応する前記差し込み領域の辺と平行な直線
で前記差し込み領域を分割してもよい。差し込み領域の辺と平行な操作軌跡を指などで描
くことは容易ではないが、この構成を採用することにより、差し込み領域の辺と平行な直
線で差し込み領域を分割することが容易になる。
【００１０】
（５）上記目的を達成するためのレイアウト装置において、前記分割部は、前記軌跡に
基づいて前記差し込み領域を等分割してもよい。差し込み領域を等分割する操作軌跡を指
などで描くことは容易ではないが、この構成を採用することにより、差し込み領域を等分
割することが容易になる。
【００１１】
尚、請求項に記載された各手段の機能は、構成自体で機能が特定されるハードウェア資
源、プログラムにより機能が特定されるハードウェア資源、又はそれらの組み合わせによ
り実現される。また、これら各手段の機能は、各々が物理的に互いに独立したハードウェ
ア資源で実現されるものに限定されない。さらに、本発明は、レイアウトプログラム又は
その記録媒体としても成立する。むろん、その記録媒体は、磁気記録媒体であってもよい
し光磁気記録媒体であってもよいし、今後開発されるいかなる記録媒体であってもよい。
【図面の簡単な説明】
【００１２】
【図１】本発明の一実施例にかかるプリンターのブロック図である。
【図２】本発明の一実施例にかかるレイアウト方法を示すフローチャートである。
【図３Ａ】本発明の一実施例にかかるレイアウト画面の画面構成図である。
【図３Ｂ】本発明の一実施例にかかるテンプレートのプレビューを示す平面図である。
【図３Ｃ】本発明の一実施例にかかるレイアウト方法を示す平面図である。
【図３Ｄ】本発明の一実施例にかかるレイアウト方法を示す平面図である。
【図３Ｅ】本発明の一実施例にかかるレイアウト方法を示す平面図である。
【図３Ｆ】本発明の一実施例にかかるレイアウト方法を示す座標平面図である。
【図４Ａ】本発明の一実施例にかかるテンプレートのプレビューを示す平面図である。
【図４Ｂ】本発明の一実施例にかかるテンプレートのプレビューを示す平面図である。
【図４Ｃ】本発明の一実施例にかかるテンプレートのプレビューを示す平面図である。
【図４Ｄ】本発明の一実施例にかかるテンプレートのプレビューを示す平面図である。
【図４Ｅ】本発明の一実施例にかかるテンプレートのプレビューを示す平面図である。
【図４Ｆ】本発明の一実施例にかかるテンプレートのプレビューを示す平面図である。
【図５Ａ】本発明の一実施例にかかるテンプレートのプレビューを示す平面図である。
【図５Ｂ】本発明の一実施例にかかるテンプレートのプレビューを示す平面図である。
【図６】本発明の一実施例にかかる印刷対象選択画面の画面構成図である。
【図７Ａ】本発明の他の実施例にかかるテンプレートのプレビューを示す平面図である。
【図７Ｂ】本発明の他の実施例にかかるテンプレートのプレビューを示す平面図である。
【図７Ｃ】本発明の他の実施例にかかるテンプレートのプレビューを示す平面図である。
【図７Ｄ】本発明の他の実施例にかかるテンプレートのプレビューを示す平面図である。
【発明を実施するための形態】
【００１３】
以下、本発明の実施の形態を図面を参照しながら説明する。尚、各図において対応する
構成要素には同一の符号が付され、重複する説明は省略される。
【００１４】
１．レイアウト装置の構成
図１に、本発明の一実施例としてのレイアウト装置を備えるプリンターを示す。図１に
示すように、プリンターは、コンピューターで構成された制御部１と、タッチパネルディ
スプレイ２と、用紙に印刷を施す印刷機構３と、用紙を印刷機構３に搬送する給紙機構５
と、印刷対象のデータを取得するデータ取得部４とを備えている。
【００１５】
タッチパネルディスプレイ２は、タップやフリックやスワイプなどの操作の対象となる
操作オブジェクトを表示する液晶パネルを備え、表示部として機能する。そしてタッチパ
ネルディスプレイ２は、抵抗膜方式、投影型静電容量方式、表面型静電容量方式、超音波
表面弾性波方式、光学方式、電磁誘導方式などにより、画面を押すタップ操作及び画面を
滑りながら移動するスワイプ操作又はフリック操作を検出する。具体的には、タッチパネ
ルディスプレイ２は、指やペンが画面に触れた位置を示す座標を出力する。タッチパネル
ディスプレイ２が出力する座標の数列が示す軌跡は、画面を押すタップ操作の場合に比較
的短くなり、画面を滑りながら移動するスワイプ操作又はフリック操作の場合に比較的長
くなる。尚、実際には、タッチパネルディスプレイ２が出力する座標の数列が示す軌跡の
長さに基づいて、制御部１がタップ操作であるか、スワイプ操作又はフリック操作である
かを判定する。
【００１６】
制御部１は、プロセッサ、主記憶装置としてのＲＡＭ、外部記憶装置としてのフラッシ
ュメモリ及び入出力インターフェースを備える。制御部１は、フラッシュメモリに記憶さ
れたレイアウトプログラムをＲＡＭにロードしてプロセッサで実行することにより、表示
部、検出部、分割部及び出力部として機能する。フラッシュメモリには、テンプレートが
保存されている。テンプレートは、印刷用紙サイズと差し込み領域の初期値を有するデー
タである。テンプレートには背景画像とその領域を定義しておくこともできる。差し込み
領域の初期値は、印刷対象となる画像が割り付けされる１つの矩形領域の４つの頂点の座
標値又は、１つの基準点の座標と矩形領域の幅と高さからなる。複数の差し込み領域を初
期値として有するテンプレートを予め定めておいても良い。フラッシュメモリには、この
ようなテンプレートを複数記憶しておき、印刷に用いるいずれかひとつをユーザーに選択
させることができる。データ取得部４は、リムーバブルメモリから印刷対象となるデータ
を制御部１に読み込む機構である。テンプレートをデータ取得部４から入力することも可
能である。本実施例のプリンターにおいては、このように、タッチパネルディスプレイ２
と制御部１とによってレイアウト装置が構成されている。
【００１７】
印刷機構３には、インクを吐出する印字ヘッドや、印字ヘッドを搬送するモーターや、
モーターの回転角度や印字ヘッドの位置を検出するエンコーダーなどが備えられている。
給紙機構５には、用紙を積載するカセットやトレイ、用紙を搬送するモーター、用紙の位
置を検出するセンサーなどが備えられている。
【００１８】
２．レイアウト方法
次に、上述したプリンターを用いたレイアウト方法について図２から図６を参照しなが
ら説明する。図２に示す印刷設定処理は、タッチパネルディスプレイ２に表示される印刷
メニューからテンプレート印刷モードが選択されることによって起動する。尚、複数のテ
ンプレートがフラッシュメモリに記憶されている場合には、印刷に用いるいずれか１つを
ユーザーに選択させる処理が必要になるが、ここでは印刷に用いるテンプレートが既に選
択されているものとする。
【００１９】
テンプレートが選択されると、制御部１は、図３Ａに示すレイアウト画面２１をタッチ
パネルディスプレイ２に表示する（Ｓ１）。レイアウト画面２１は、印刷プレビュー２１
４とメッセージと画面遷移を進行させるためのボタン２１３とを含む。印刷プレビュー２
１４は、印刷用紙の背景と印刷用紙の外形を示す矩形２１１と印刷用紙に対する差し込み
領域の位置を示す矩形のレイアウト枠２１２とを含み、選択されたテンプレートに基づい
て表示される。制御部１は、差し込み領域の座標とタッチパネルディスプレイ２の解像度
によって決まる領域にレイアウト枠２１２を表示する。すなわちレイアウト枠２１２は差
し込み領域の表示領域である。メッセージは、レイアウト枠２１２に対する操作方法を案
内するテキストである。
【００２０】
タッチパネルディスプレイ２が指やペンによる操作を検出すると、制御部１は、タッチ
パネルディスプレイ２から取得する座標に基づいて操作の種類を次のように判定する（Ｓ
２）。ボタン２１３の表示領域に対するタップ操作である場合、制御部１は、進行操作で
あると判定し、印刷対象選択処理Ｓ４を実行する。レイアウト枠２１２に対する分割操作
である場合、制御部１は、分割処理Ｓ３を実行する。進行操作でも分割操作でも無い場合
、制御部１は、誤操作と判定し、テンプレートの印刷プレビューを表示しながら次の操作
を待つ。
【００２１】
ここで分割操作であるか否かの判定方法について図３及び図４を参照しながら詳細に説
明する。まず制御部１は、タッチパネルディスプレイ２から取得する座標が示す操作軌跡
Ｔ（図３Ｂ参照）の少なくとも一部がレイアウト枠２１２の内側にあるか否かを判定する
。操作軌跡Ｔの少なくとも一部がレイアウト枠２１２の内側に無い場合、制御部１は、分
割操作でないと判定する。
【００２２】
操作軌跡Ｔの少なくとも一部がレイアウト枠２１２の内側にある場合、制御部１は操作
軌跡Ｔの端点Ａ、Ｂ間の距離ａを導出する（図３Ｃ参照）。次に制御部１は、線分ＡＢの
長さａに対して予め決められた割合の距離ｂだけ端点Ａ，Ｂよりも内側にある操作軌跡Ｔ
上の点Ｃ、Ｄの座標を取得する。この割合は、例えば１０％とすればよい。尚、割合から
距離ｂを定めるかわりに、一定の距離ｂを予め決めておいても良い。距離ｂだけ除外する
ことで、ユーザーの意図に沿わずに操作軌跡が曲がりやすい最初と最後の部分を除いて、
ユーザーの意図に則しやすい部分からユーザーが意図した軌跡の方向を解析することがで
きる。また、操作軌跡の長さを示すａ、ｂは、いずれも直線距離でも軌跡自体の長さでも
良いが、ここでは直線距離として説明する。ここで制御部１は、点Ｃ，Ｄを結ぶ直線がレ
イアウト枠２１２の内側を通るか否かを判定し、点Ｃ，Ｄがレイアウト枠２１２の内側を
通ら無い場合には、分割操作でないと判定してもよい。
【００２３】
そして制御部１は、図３Ｄに示すように、点Ｃ、Ｄを通る直線Ｌを導出し、直線Ｌとレ
イアウト枠２１２の辺との交点Ｆ、Ｇを求める。ここで直線Ｌの傾きは、操作の軌跡の中
央を含む軌跡ＣＤにならう方向に相当する。本実施例では線分ＣＤの方向を操作軌跡の中
央部ＣＤに倣う方向とする。尚、操作軌跡ＡＢまたはその中央部ＣＤの中点Ｅにおける操
作軌跡の接線方向を、操作軌跡ＡＢの中央を含む軌跡にならう方向としてもよい。続いて
制御部１は、交点Ｆ，Ｇがレイアウト枠２１２の向かい合う２辺のそれぞれにあるか否か
を判定する。交点Ｆ，Ｇがレイアウト枠２１２の向かい合う２辺のそれぞれに無い場合、
制御部１は分割操作でないと判定する。例えば図４Ｆに示すようにレイアウト枠２１２の
隣り合う２辺を通る操作軌跡Ｔが検出される場合には、分割操作でないと判定される。
【００２４】
また、制御部１は、操作軌跡の端点を結ぶ線分のレイアウト枠２１２の内側部分の長さ
のレイアウト枠２１２の横断距離に対する割合を導出する。図３Ｂに示す操作軌跡Ｔの場
合、図３Ｅに示すように、操作軌跡の端点を結ぶ線分は線分ＡＢとなり、線分ＡＢのレイ
アウト枠２１２の内側部分は線分ｆＢとなる。またレイアウト枠の横断距離は、操作軌跡
の端点を結ぶ直線からレイアウト枠２１２の２辺によって切り取られる線分の長さである
。図３Ｂに示す操作軌跡Ｔの場合、図３Ｅに示すように、レイアウト枠の横断距離は線分
ｆｇの長さとなる。なお、本実施例ではこの割合を、差し込み領域を横断する直線の長さ
に対する操作軌跡の長さの割合とするが、図３Ｄに示すＦＧに対するｆｇの長さの割合を
、差し込み領域を横断する直線の長さに対する操作軌跡の長さの割合としてもよい。また
、端点Ａ、Ｂのそれぞれから直線Ｌに下ろした垂線の足を両端とする線分からレイアウト
枠の２辺によって切り取られる線分の長さのＦＧに対する割合を、差し込み領域を横断す
る直線の長さに対する操作軌跡の長さの割合としてもよい。
【００２５】
そして、制御部１は、操作軌跡の端点を結ぶ線分のレイアウト枠２１２の内側部分の長
さのレイアウト枠２１２の横断距離に対する割合が予め決めた閾値以上であるか否かを判
定し、閾値以上でなければ分割操作でないと判定する。すなわち、レイアウト枠内の操作
軌跡が比較的長いスワイプ操作又はフリック操作が分割操作と判定される。本実施例にお
いて、この閾値は５０％とする。この閾値を５０％とすると、操作軌跡ＡＢのレイアウト
枠内の長さがレイアウト枠の横断距離のおよそ半分に達していなければ、分割処理でない
と判定されることになる。このように判定することで、意図通りの操作軌跡を描けそうに
ない場合には、ユーザーは分割操作を途中で容易に中断することができ、意図しない分割
処理が行われてしまうことを未然に防止することができる。例えば図４Ｅに示すように短
い操作軌跡Ｔがタッチパネルディスプレイ２によって検出された場合には、分割操作でな
いと判定される。
【００２６】
以上の判定において、分割操作でないと判定するすべての条件がいずれも満たされない
場合、制御部１は分割操作と判定する。例えば図３Ｂ、図４Ａ及び図４Ｃに示す操作軌跡
Ｔが検出される場合には制御部１は分割操作と判定する。
【００２７】
分割処理において、制御部１は分割操作の軌跡に基づいて差し込み領域を次のように分
割する（Ｓ３）。制御部１は、直線Ｌの傾きに基づいて差し込み領域を水平方向に分割す
るか垂直方向に分割するかを決定する。例えば制御部１は、図３Ｆに示す直線Ｌの傾きθ
が−４５度以上４５度未満の場合には水平な分割線によって分割し、傾きθが４５度以上
１３５度未満の場合には垂直な分割線によって分割すればよい。尚、ここでの水平とはタ
ッチパネルディスプレイ２の画面の長辺方向であり、垂直とはタッチパネルディスプレイ
２の画面の短辺方向である。分割線の位置は、操作軌跡Ｔの中央部ＣＤにならう方向の直
線Ｌとレイアウト枠２１２との交点Ｆ、Ｇの中点Ｍを分割線が通るように定めてもよいし
、図３Ｃに示す操作軌跡ＡＢの中点Ｅを分割線が通るように定めても良い。このようにし
て分割線を定めると、図４Ａに示す操作軌跡Ｔが描かれた場合には、図４Ｂに示すように
レイアウト枠２１２ａに対応する差し込み領域とレイアウト枠２１２ｂに対応する差し込
み領域とに差し込み領域が分割される。また図４Ｃに示す操作軌跡Ｔが描かれた場合には
、レイアウト枠２１２ａに対応する差し込み領域とレイアウト枠２１２ｂに対応する差し
込み領域とに差し込み領域が分割される。なお、操作軌跡ＡＢのいずれか一方の端点を通
るように分割線を定めても良い。
【００２８】
制御部１は、分割処理を実行すると、差し込み領域が分割されたテンプレートの印刷プ
レビューをタッチパネルディスプレイ２に表示する（Ｓ１）。そして分割されたレイアウ
ト枠に対する分割操作が再び検出されると、分割操作に応じて差し込み領域をさらに分割
する。例えば図５Ａに示すように分割された一方のレイアウト枠２１２ａに対して操作軌
跡Ｔが描かれると、レイアウト枠２１２ａに対応する差し込み領域は、図５Ｂに示すレイ
アウト枠２１２ｃ、２１２ｄに対応する２つの差し込み領域に分割される。
【００２９】
タッチパネルディスプレイ２に対する操作がボタン２１３の表示領域をタップする進行
操作である場合、制御部１は、図６に示す印刷対象選択画面２２をタッチパネルディスプ
レイ２に表示する（Ｓ４）。印刷対象選択画面２２は、印刷対象として選択可能な画像デ
ータのサムネイル一覧２２１と印刷プレビュー２２３と画面遷移を進行させるボタン２２
４とを含む。サムネイル一覧２２１は、データ取得部４から取得可能な画像データのサム
ネイルデータに基づいて表示される。印刷プレビュー２２３は、印刷用紙の背景領域と印
刷用紙を示す矩形２１１と印刷対象の画像２２２とを含む。制御部１は、サムネイル一覧
２２１のいずれかのサムネイルの領域がタップされると、タップされた領域に対応する画
像データを印刷対象として選択し、選択された画像データ又はそのサムネイルデータに基
づく画像２２２をレイアウト枠に差し込んで印刷プレビュー２２３を更新する。
【００３０】
画面遷移を進行させるボタン２２４がタップされると、制御部１は、テンプレートと選
択された画像データに基づく印刷を開始する（Ｓ５）。このとき制御部１は、分割処理が
実行されていない場合には初期設定のテンプレートの差し込み領域に対して画像データを
差し込み、分割処理が実行されている場合には分割された差し込み領域に対して画像デー
タを差し込む。
【００３１】
以上説明したようにテンプレート印刷モードで印刷設定がなされると、制御部１は、差
し込み領域に画像データを差し込んだレイアウトで印刷データを生成し、印刷データに基
づいて印刷機構３及び給紙機構５を制御して印刷を実行させる。
【００３２】
本実施例によると、差し込み領域を示すレイアウト枠２１２に対するスワイプ操作又は
フリック操作によって差し込み領域を分割できるため、ユーザーが複数の差し込み領域を
容易に設定できる。
【００３３】
３．他の実施形態
尚、本発明の技術的範囲は、上述した実施例に限定されるものではなく、本発明の要旨
を逸脱しない範囲内において種々変更を加え得ることは勿論である。例えば上述した実施
例において、直線Ｌの位置に関わらずに差し込み領域を二等分するように分割線を定めて
も良い。この場合、図７Ａに示すように、操作軌跡Ｔによってレイアウト枠２１２ａに対
応する差し込み領域とレイアウト枠２１２ｂに対応する差し込み領域とに１つの差し込み
領域が分割される。また図７Ｂに示すように、操作軌跡Ｔによってレイアウト枠２１２ａ
に対応する差し込み領域とレイアウト枠２１２ｂに対応する差し込み領域とに１つの差し
込み領域が分割される。このように差し込み領域を二等分する場合には、ユーザーは任意
の比率で差し込み領域を分割することはできないものの、レイアウト枠２１２を二等分す
る正確な操作軌跡を描かなくても、意図通りに差し込み領域を二等分することが可能にな
る。
【００３４】
また、上述した実施例においては、レイアウト領域の分割線を直線としたが、レイアウ
ト領域の分割線は曲線であっても良い。たとえば曲がった操作軌跡に対応する曲線をレイ
アウト領域の分割線としても良い。
【００３５】
また例えば上述した実施例において、直線Ｌの傾きを持つ分割線を定めても良い。この
場合、図７Ｃに示すように、操作軌跡Ｔによって台形のレイアウト枠２１２ａに対応する
差し込み領域と台形のレイアウト枠２１２ｂに対応する差し込み領域に１つの差し込み領
域が分割される。
【００３６】
また例えば上述した実施例において、直線Ｌがレイアウト枠２１２の隣り合う２辺を通
る場合も分割操作と判定してもよい。この場合、図７Ｄに示すように、操作軌跡Ｔによっ
て五角形のレイアウト枠２１２ａに対応する五角形の差し込み領域と三角形のレイアウト
枠２１２ｂに対応する三角形の差し込み領域に１つの矩形の差し込み領域が分割される。
【００３７】
そして、ユーザーが描く操作軌跡に対してどのような分割線が設定されるかをユーザー
が選択可能な構成を採用しても良い。たとえば、常に差し込み領域を二等分するのか、操
作軌跡に応じて分割線の位置（分割比率）を任意に調整できるのかをユーザーの設定操作
により選択可能にしても良い。
【００３８】
また上述した実施例において、図３Ｄに示す距離ＦＧに対する線分ＦＢの長さの割合が
閾値未満の場合には分割操作と判定しないとしたが、距離ＦＧに対する操作軌跡の中央部
ＣＤの長さの割合を閾値と比較して分割操作と判定するか否かを決定しても良い。また、
直線Ｌに対応するレイアウト枠の一辺の長さに対する線分ｆＢ（図３Ｅ参照）の長さの割
合や操作軌跡の中央部ＣＤ（図３Ｃ参照）の長さの割合を閾値と比較して分割操作と判定
するか否かを決定しても良い。また、操作軌跡Ｔの長さに関わらず、操作軌跡Ｔの一部が
レイアウト枠内にあれば分割操作と判定しても良い。
【００３９】
そして上述した実施例においては、操作軌跡の中央部の長さを操作軌跡の長さとしても
よいし、操作軌跡全体の長さを操作軌跡の長さとしても良いし、操作軌跡の水平方向又は
垂直方向の長さを操作軌跡の長さとしても良い。
【００４０】
また上述した実施例においては、矩形の差し込み領域がテンプレートの初期値である例
を示したが、楕円形や台形や星形など、テンプレートの初期値の差し込み領域の形状はど
のようにも定められる。そして、差し込み領域が矩形でなくとも、差し込み領域の表示領
域であるレイアウト枠に対する操作軌跡に基づいて、上記実施例と同様の原理で差し込み
領域を分割することが可能である。
また、オブジェクトは、画像データに限らず、文書データ等をオブジェクトとしてもよ
い。
【００４１】
また本発明は、印刷機構を備えないタブレット端末やスマートフォンに適用することも
可能である。例えばタブレット端末やスマートフォンにおいて上述したレイアウト処理を
実行した後に、テンプレートと選択された画像データとに基づいてＰＤＦデータや画像デ
ータを生成し、これらをプリンターに送信することによってプリンターに印刷を実行させ
ても良い。
【符号の説明】
【００４２】
１…制御部、２…タッチパネルディスプレイ、３…印刷機構、４…データ取得部、５…給
紙機構、２１…レイアウト画面、２２…印刷対象選択画面、２１１…矩形、２１２…レイ
アウト枠、２１２ａ…レイアウト枠、２１２ｂ…レイアウト枠、２１２ｃ…レイアウト枠
、２１３…ボタン、２１４…印刷プレビュー、２２１…サムネイル一覧、２２２…画像、
２２３…印刷プレビュー、２２４…ボタン、Ｔ…操作軌跡
【図１】
2017187834.tif 000003
【図２】
2017187834.tif 000004
【図３Ａ】
2017187834.tif 000005
【図３Ｂ】
2017187834.tif 000006
【図３Ｃ】
2017187834.tif 000007
【図３Ｄ】
2017187834.tif 000008
【図３Ｅ】
2017187834.tif 000009
【図３Ｆ】
2017187834.tif 000010
【図４Ａ】
2017187834.tif 000011
【図４Ｂ】
2017187834.tif 000012
【図４Ｃ】
2017187834.tif 000013
【図４Ｄ】
2017187834.tif 000014
【図４Ｅ】
2017187834.tif 000015
【図４Ｆ】
2017187834.tif 000016
【図５Ａ】
2017187834.tif 000017
【図５Ｂ】
2017187834.tif 000018
【図６】
2017187834.tif 000019
【図７Ａ】
2017187834.tif 000020
【図７Ｂ】
2017187834.tif 000021
【図７Ｃ】
2017187834.tif 000022
【図７Ｄ】
2017187834.tif 000023